(57)【要約】【課題】オーディオ信号処理回路のノイズを抑制する。【解決手段】基準バイアス回路３０は、第１基準電圧ＶＲＥＦ１および第２基準電圧ＶＲＥＦ２を生成する。第１アンプ１０は、その上側電源端子に第１電源電圧Ｖｃｃ１が供給され、入力オーディオ信号に応じて、第１基準電圧に応じた第１バイアス電圧を中心としてスイングする第１信号ＶＳ１を生成する。起動バイアス回路４０は、第１電源電圧Ｖｃｃ１とは独立した第２電源電圧Ｖｃｃ２にもとづき、起動バイアス電圧ＶＳＴＡＲＴを生成する。セレクタ回路５０は、第１信号ＶＳ１および起動バイアス電圧ＶＳＴＡＲＴのうち一方を選択し、選択した一方を第２信号ＶＳ２として出力する。第２アンプ２０は、その上側電源端子に第２電源電圧Ｖｃｃ２が供給され、第２信号ＶＳ２を第２基準電圧ＶＲＥＦ２を基準として非反転増幅し、第３信号ＶＳ３を生成する。【選択図】図３
2014132735.tif 000002
【特許請求の範囲】
【請求項１】
第１基準電圧および第２基準電圧を生成する基準バイアス回路と、
その上側電源端子に第１電源電圧が供給され、入力オーディオ信号に応じて、第１基準電圧に応じた第１バイアス電圧を中心としてスイングする第１信号を生成する第１アンプと、
前記第１電源電圧とは独立した第２電源電圧にもとづき、起動バイアス電圧を生成する起動バイアス回路と、
前記第１信号および前記起動バイアス電圧のうち一方を選択し、選択した一方を第２信号として出力するセレクタ回路と、
その上側電源端子に前記第２電源電圧が供給され、前記第２信号を前記第２基準電圧を基準として非反転増幅し、第３信号を生成する第２アンプと、
を備えることを特徴とするオーディオ信号処理回路。
【請求項２】
前記起動バイアス回路は、前記第１電源電圧および前記第２電源電圧がそれぞれの定格値に安定した後に、前記起動バイアス電圧が前記第１信号の直流レベルである前記第１バイアス電圧と実質的に等しくなるように構成されることを特徴とする請求項１に記載のオーディオ信号処理回路。
【請求項３】
前記起動バイアス回路は、前記第２電源電圧を受け、それに係数を乗ずることにより前記起動バイアス電圧を生成することを特徴とする請求項２に記載のオーディオ信号処理回路。
【請求項４】
前記起動バイアス回路は、前記第２電源電圧を分圧することにより前記起動バイアス電圧を生成することを特徴とする請求項２または３に記載のオーディオ信号処理回路。
【請求項５】
前記起動バイアス回路は、前記第１電源電圧および前記第２電源電圧の起動時において、前記起動バイアス電圧が緩やかに増大するように構成されることを特徴とする請求項１から３のいずれかに記載のオーディオ信号処理回路。
【請求項６】
前記第１電源電圧および前記第２電源電圧がそれぞれの定格値に安定した後に、前記起動バイアス電圧は、前記第２電源電圧の１／２より低いことを特徴とする請求項１から５のいずれかに記載のオーディオ信号処理回路。
【請求項７】
前記セレクタ回路は、前記第１電源電圧と前記第２電源電圧がそれぞれの定格値に安定化する前の期間、前記起動バイアス電圧を選択し、安定化後に前記第１信号を選択することを特徴とする請求項１から６のいずれかに記載のオーディオ信号処理回路。
【請求項８】
前記第２アンプは、
その上側電源端子に前記第２電源電圧が供給され、その非反転入力端子に前記第２信号を受ける演算増幅器と、
前記演算増幅器の出力端子と反転入力端子の間に設けられた第１抵抗と、
その一端に前記第２基準電圧が印加され、その他端が前記演算増幅器の反転入力端子と接続された第２抵抗と、
を含むことを特徴とする請求項１から７のいずれかに記載のオーディオ信号処理回路。
【請求項９】
前記基準バイアス回路は、
基準電圧を受け、前記第１基準電圧を生成する第１ボルテージフォロアと、
前記第１基準電圧を分圧する分圧回路と、
前記分圧回路の出力を受け、前記第２基準電圧を生成する第２ボルテージフォロアと、
を含むことを特徴とする請求項１から８のいずれかに記載のオーディオ信号処理回路。
【請求項１０】
前記第２ボルテージフォロアの上側電源端子には、前記第２電源電圧が供給されることを特徴とする請求項９に記載のオーディオ信号処理回路。
【請求項１１】
前記第２アンプは、
前記第２信号をそのまま出力するボルテージフォロアとして動作する第１モードと、
前記第２信号を前記第２基準電圧を基準として非反転増幅し、第３信号を生成する非反転増幅器として動作する第２モードと、
が切りかえ可能に構成され、
前記基準バイアス回路は、前記第２基準電圧が２値で切りかえ可能に構成されることを特徴とする請求項１から１０のいずれかに記載のオーディオ信号処理回路。
【請求項１２】
前記第２アンプは、
その上側電源端子に前記第２電源電圧が供給され、その非反転入力端子に前記第２信号を受ける演算増幅器と、
前記演算増幅器の出力端子と、前記第２基準電圧が入力される端子の間に順に直列に設けられた第１抵抗および第２抵抗と、
前記演算増幅器の反転入力端子と接続された第１端子と、前記演算増幅器の出力端子と接続された第２端子と、前記第１抵抗と前記第２抵抗の接続点と接続された第３端子を有し、前記第１モードにおいて前記第１端子と前記第２端子の間が導通し、前記第２モードにおいて前記第１端子と前記第３端子の間が導通するように構成された第１スイッチ回路と、
を含むことを特徴とする請求項１１に記載のオーディオ信号処理回路。
【請求項１３】
前記基準バイアス回路は、
基準電圧を受け、前記第１基準電圧を生成する第１ボルテージフォロアと、
前記第１基準電圧を分圧する分圧回路と、
第１端子と、前記第１ボルテージフォロアの出力端子と接続された第２端子と、前記分圧回路の出力端子と接続された第３端子と、を有し、前記第１モードにおいて前記第１端子と前記第２端子の間が導通し、前記第２モードにおいて前記第１端子と前記第３端子の間が導通するように構成された第２スイッチ回路と、
その入力端子が前記第２スイッチ回路の前記第１端子と接続され、前記第２基準電圧を生成する第２ボルテージフォロアと、
を含むことを特徴とする請求項１１または１２に記載のオーディオ信号処理回路。
【請求項１４】
前記起動バイアス回路は、
第２電源電圧と接地電圧の間に順に直列に設けられた３つの抵抗と、
２つの抵抗のうちひとつと並列に設けられ、前記第２モードにおいて導通するバイパス用スイッチと、
を含み、３つの抵抗のうち２つの抵抗の接続点の電圧を前記起動バイアス電圧として出力することを特徴とする請求項１１または１２に記載のオーディオ信号処理回路。
【請求項１５】
ひとつの半導体基板上に一体集積化されることを特徴とする請求項１から１４のいずれかに記載のオーディオ信号処理回路。
【請求項１６】
請求項１から１５のいずれかに記載のオーディオ信号処理回路と、
前記オーディオ信号処理回路の前記第２アンプから出力される前記第３信号を増幅するパワーアンプと、
前記パワーアンプにより駆動される電気音響変換素子と、
を備えることを特徴とする車載用オーディオ装置。
【請求項１７】
請求項１から１５のいずれかに記載のオーディオ信号処理回路と、
前記オーディオ信号処理回路の前記第２アンプから出力される前記第３信号を増幅するパワーアンプと、
前記パワーアンプにより駆動される電気音響変換素子と、
を備えることを特徴とするオーディオコンポーネント装置。
【請求項１８】
請求項１から１５のいずれかに記載のオーディオ信号処理回路と、
前記オーディオ信号処理回路の前記第２アンプから出力される前記第３信号を増幅するパワーアンプと、
前記パワーアンプにより駆動される電気音響変換素子と、
を備えることを特徴とする電子機器。
【発明の詳細な説明】
【技術分野】
【０００１】
本発明は、オーディオ信号を処理するオーディオ信号処理回路に関する。
【背景技術】
【０００２】
スピーカやヘッドホン端子を備えるオーディオシステムには、オーディオ信号を増幅するオーディオ信号処理回路が搭載される。一般に、オーディオ信号処理回路は、直列に接続された複数のステージのアンプあるいはバッファを備える。
【０００３】
図１（ａ）、（ｂ）は、本発明者が検討した２段のアンプを含むオーディオ信号処理回路の構成を示すブロック図である。図２（ａ）、（ｂ）は、図１（ａ）、（ｂ）のオーディオ信号処理回路のレベルダイアグラムである。図１（ａ）のオーディオ信号処理回路２ｒは、２段のアンプＡＭＰ１、ＡＭＰ２を備える。２つのアンプＡＭＰ１、ＡＭＰ２の上側電源端子には、共通の電源電圧Ｖｃｃ１が供給され、それらの下側電源端子には、共通の接地電圧Ｖｅｅが供給される。ここではＶｅｅは０Ｖであるとする。
【０００４】
前段の第１アンプＡＭＰ１の出力（第１信号）ＶＳ１は、第１バイアス電圧ＶＢＩＡＳ１を中心として、Ｖｅｅ〜Ｖｃｃ１の間でスイングする。Ｖｅｅ＝０Ｖであるとき、第１バイアス電圧ＶＢＩＡＳ１は、Ｖｃｃ１／２付近に設定される。
【０００５】
後段の第２アンプＡＭＰ２は利得１のバッファ（ボルテージフォロア）であり、第２アンプＡＭＰ２の出力（第２信号）ＶＳ２も、第１信号ＶＳ１と同様に、第１バイアス電圧ＶＢＩＡＳ１を中心としてＶｅｅ〜Ｖｃｃ１の間でスイングする。図１（ａ）のオーディオ信号処理回路２ｒでは、第１信号ＶＳ１と第２信号ＶＳ２の振幅は等しい。
【０００６】
第２アンプＡＭＰ２の出力は、直流防止キャパシタＣ２を介してパワーアンプ１０６に供給される。パワーアンプ１０６は、第２アンプＡＭＰ２の出力信号を増幅し、スピーカやヘッドホンなどの電気音響変換素子（以下、スピーカという）１０８へと供給する。第２アンプＡＭＰ２の駆動能力は、直流防止キャパシタＣ２を駆動するのに必要な程度に設計される。
【０００７】
図１（ｂ）のオーディオ信号処理回路２ｓは、第１アンプＡＭＰ１と第２アンプＡＭＰ２に加えて、第３アンプＡＭＰ３を備える。オーディオ信号処理回路２ｓでは、第２アンプＡＭＰ２の上側電源端子には、第１アンプＡＭＰ１の電源電圧Ｖｃｃ１よりも高い電源電圧Ｖｃｃ２が供給される。
【０００８】
第３アンプＡＭＰ３は、基準電圧ＶＲＥＦ２を受け、それを出力するバッファである。第２アンプＡＭＰ２は、利得ｇ２を有する非反転増幅器であり、演算増幅器ＯＡ２、抵抗Ｒ１、Ｒ２を含む。第１信号ＶＳ１と第２信号ＶＳ２の間には、以下の関係式が成り立つ。
ＶＳ１＝ＶＲＥＦ２＋ＶＳ１×Ｒ２／（Ｒ１＋Ｒ２）×（ＶＳ２−ＶＲＥＦ２）    …（１）
これをＶＳ２について解くと、式（２）を得る。
ＶＳ２＝ｇ２×ＶＳ１−Ｒ１／Ｒ２×ＶＲＥＦ２      …（２）
ただし、利得ｇ２＝（Ｒ１＋Ｒ２）／Ｒ２である。
【０００９】
第１信号ＶＳ１は、直流成分ＶＢＩＡＳ１とオーディオ交流成分ＶＡＵＤ１（ｔ）の和で与えられる。
ＶＳ１＝ＶＡＵＤ１（ｔ）＋ＶＢＩＡＳ１      …（３）
式（３）を式（２）に代入すると、式（４）を得る。
ＶＳ２＝ｇ２×ＶＡＵＤ１（ｔ）＋ｇ２×ＶＢＩＡＳ１−Ｒ１／Ｒ２×ＶＲＥＦ２  …（４）
【００１０】
第２信号ＶＳ２は、直流成分ＶＢＩＡＳ２とオーディオ交流成分ＶＡＵＤ２（ｔ）の和で与えられることから、以下の関係式を得る。
ＶＳ２＝ＶＡＵＤ２（ｔ）＋ＶＢＩＡＳ２    …（５ａ）
ＶＡＵＤ２（ｔ）＝ｇ２×ＶＡＵＤ１（ｔ）    …（５ｂ）
ＶＢＩＡＳ２＝ｇ２×ＶＢＩＡＳ１−Ｒ１／Ｒ２×ＶＲＥＦ２    …（５ｃ）
【００１１】
このオーディオ信号処理回路２ｓでは、第２アンプＡＭＰ２の出力である第２信号ＶＳ２は、第２バイアス電圧ＶＢＩＡＳ２を中心として、Ｖｅｅ〜Ｖｃｃ２の間でスイングする。Ｖｅｅ＝０Ｖであるとき、第２バイアス電圧ＶＢＩＡＳ２は、Ｖｃｃ２／２付近に設定することができる。図１（ｂ）の構成では、第２信号ＶＳ２の振幅を、第１信号ＶＳ１の振幅よりも大きくとることができる。
【先行技術文献】
【特許文献】
【００１２】
【特許文献１】特開２００５−１１７４８９号公報
【特許文献２】特開２００５−２１７７１０号公報
【特許文献３】特開２００４−２２２０７７号公報
【特許文献４】特開平１１−３４０７５９号公報
【特許文献５】特開２００３−２８３２６２号公報
【発明の概要】
【発明が解決しようとする課題】
【００１３】
本発明者は、図１（ｂ）のマルチステージのアンプの起動動作について検討した結果、以下の課題を認識するに至った。
【００１４】
図１（ｂ）のオーディオ信号処理回路２ｓでは、第１電源電圧Ｖｃｃ１、第２電源電圧Ｖｃｃ２が、図示しない外部の電源回路から独立して与えられる。第１電源電圧Ｖｃｃ１と第２電源電圧Ｖｃｃ２の立ち上がり波形によっては、第２信号ＶＳ２が不連続に変動し、ノイズが発生する可能性がある。なおこの問題を、当業者の一般的な認識として捉えてはならず、本発明者が独自に認識したものである。
【００１５】
本発明は係る課題に鑑みてなされたものであり、そのある態様の例示的な目的のひとつは、オーディオ信号処理回路のノイズの抑制にある。
【課題を解決するための手段】
【００１６】
本発明のある態様は、オーディオ信号処理回路に関する。オーディオ信号処理回路は、第１基準電圧および第２基準電圧を生成する基準バイアス回路と、その上側電源端子に第１電源電圧が供給され、入力オーディオ信号に応じて、第１基準電圧に応じた第１バイアス電圧を中心としてスイングする第１信号を生成する第１アンプと、第１電源電圧とは独立した第２電源電圧にもとづき、起動バイアス電圧を生成する起動バイアス回路と、第１信号および起動バイアス電圧のうち一方を選択し、選択した一方を第２信号として出力するセレクタ回路と、その上側電源端子に第１電源電圧とは独立した第２電源電圧が供給され、第２信号を第２基準電圧を基準として非反転増幅し、第３信号を生成する第２アンプと、を備える。
【００１７】
この態様によると、第１、第２電源電圧の変動に起因して第１信号あるいは第３信号が急峻にあるいは不連続に変動しうる期間において、第２アンプに、第１信号ではなく起動バイアス電圧を入力することにより、第３信号を前段の第１アンプの状態にかかわらず安定的に遷移させることができ、ノイズを抑制することができる。
【００１８】
起動バイアス回路は、第１電源電圧および第２電源電圧がそれぞれの定格値に安定した後に、起動バイアス電圧が第１信号の直流レベルである第１バイアス電圧と実質的に等しくなるように構成されてもよい。
この場合、セレクタ回路の切りかえのときに、第２アンプの入力信号の直流電圧レベルの変動を抑制することができ、ノイズを抑制できる。
【００１９】
起動バイアス回路は、第２電源電圧を受け、それに係数を乗ずることにより起動バイアス電圧を生成してもよい。起動バイアス回路は、第２電源電圧を分圧することにより起動バイアス電圧を生成してもよい。
比例係数（分圧比）を適切に設定することにより、起動バイアス電圧のレベルを適切に設定でき、これにより第２信号、ひいては第３信号を、第１アンプの状態とは無関係に安定的に遷移させることができる。
【００２０】
起動バイアス回路は、第１電源電圧および第２電源電圧の起動時において、起動バイアス電圧が緩やかに増大するように構成されてもよい。
起動バイアス回路を緩やかに増大させることにより、第３信号を緩やかに立ち上げることができ、ノイズを低減できる。
【００２１】
ある態様において、第１電源電圧および第２電源電圧がそれぞれの定格値に安定した後に、起動バイアス電圧は、第２電源電圧の１／２より低くてもよい。
第２アンプは、第２信号と第２基準電圧の差分を増幅するところ、第２アンプの出力レベルが第２電源電圧付近となり、第２アンプの安定動作領域（オペアンプのヘッドマージン内）から外れることにより出力異常が発生する（たとえばクリップ）。この態様によれば、第２基準電圧を生成するアンプの起動状態によって、第２基準電圧が不定であったとしても、第２アンプがクリップされるのを抑制できる。
【００２２】
セレクタ回路は、第１電源電圧と第２電源電圧がそれぞれの定格値に安定化する前の期間、起動バイアス電圧を選択し、安定化後に第１信号を選択してもよい。
この場合、第１電源電圧、第２電源電圧の立ち上げの完了前に、第２アンプに起動バイアス電圧が入力されることになり、起動時のノイズを低減できる。
また、セレクタ回路は、オーディオ信号処理回路が搭載されるセットやシステムの起動から所定時間の経過前に起動バイアス電圧を選択し、経過後に第１信号を選択してもよい。
所定時間を、第１電源電圧、第２電源電圧の立ち上げに必要とされる起動時間にもとづいて、それと同程度、あるいはマージンをとってそれより長く定めることにより、起動時のノイズを抑制できる。
【００２３】
第２アンプは、その上側電源端子に第２電源電圧が供給され、その非反転入力端子に第２信号を受ける演算増幅器と、演算増幅器の出力端子と反転入力端子の間に設けられた第１抵抗と、その一端に第２基準電圧が印加され、その他端が演算増幅器の反転入力端子と接続された第２抵抗と、を含んでもよい。
【００２４】
基準バイアス回路は、基準電圧を受け、第１基準電圧を生成する第１ボルテージフォロアと、第１基準電圧を分圧する分圧回路と、分圧回路の出力を受け、第２基準電圧を生成する第２ボルテージフォロアと、を含んでもよい。
【００２５】
第２ボルテージフォロアの上側電源端子には、第２電源電圧が供給されてもよい。
【００２６】
第２アンプは、第２信号をそのまま出力するボルテージフォロアとして動作する第１モードと、第２信号を第２基準電圧を基準として非反転増幅し、第３信号を生成する非反転増幅器として動作する第２モードと、が切りかえ可能に構成されてもよい。基準バイアス回路は、第２基準電圧が２値で切りかえ可能に構成されてもよい。
この場合、第２電源電圧が第１電源電圧と実質的に等しいプラットフォームでは、第１モードを選択し、第２電源電圧が第１電源電圧よりも高いプラットフォームでは、第２モードを選択し、モードごとに第２基準電圧を適切な値に設定することで、オーディオ信号処理回路を、２つのプラットフォームで流用することができる。
【００２７】
第２アンプは、その上側電源端子に第２電源電圧が供給され、その非反転入力端子に第２信号を受ける演算増幅器と、演算増幅器の出力端子と、第２基準電圧が入力される端子の間に順に直列に設けられた第１抵抗および第２抵抗と、演算増幅器の反転入力端子と接続された第１端子と、演算増幅器の出力端子と接続された第２端子と、第１抵抗と第２抵抗の接続点と接続された第３端子を有し、第１モードにおいて第１端子と第２端子の間が導通し、第２モードにおいて第１端子と第３端子の間が導通するように構成された第１スイッチ回路と、を含んでもよい。
この構成によれば、第１モードと第２モードで、第２アンプの機能を切りかえることができる。
【００２８】
基準バイアス回路は、基準電圧を受け、第１基準電圧を生成する第１ボルテージフォロアと、第１基準電圧を分圧する分圧回路と、第１端子と、第１ボルテージフォロアの出力端子と接続された第２端子と、分圧回路の出力端子と接続された第３端子と、を有し、第１モードにおいて第１端子と第２端子の間が導通し、第２モードにおいて第１端子と第３端子の間が導通するように構成された第２スイッチ回路と、その入力端子が第２スイッチ回路の第１端子と接続され、第２基準電圧を生成する第２ボルテージフォロアと、を含んでもよい。
この構成によれば、第１モードと第２モードで、第２基準電圧のレベルを切りかえることができる。
【００２９】
起動バイアス回路は、第２電源電圧と接地電圧の間に順に直列に設けられた３つの抵抗と、２つの抵抗のうちひとつと並列に設けられ、第２モードにおいて導通するバイパス用スイッチと、を含んでもよい。起動バイアス回路は、３つの抵抗のうち２つの抵抗の接続点の電圧を起動バイアス電圧として出力してもよい。
この構成によれば、第１モードと第２モードで、３つの抵抗の抵抗値をパラメータとして起動バイアス電圧の目標値を独立に定めることができる。
【００３０】
ある態様のオーディオ信号処理回路は、ひとつの半導体基板上に一体集積化されてもよい。
「一体集積化」とは、回路の構成要素のすべてが半導体基板上に形成される場合や、回路の主要構成要素が一体集積化される場合が含まれ、回路定数の調節用に一部の抵抗やキャパシタなどが半導体基板の外部に設けられていてもよい。回路を１つのＩＣとして集積化することにより、回路面積を削減することができるとともに、回路素子の特性を均一に保つことができる。
【００３１】
本発明の別の態様は、車載用オーディオ装置に関する。車載用オーディオ装置は、上述のオーディオ信号処理回路と、オーディオ信号処理回路の第２アンプから出力される第３信号を増幅するパワーアンプと、パワーアンプにより駆動される電気音響変換素子と、を備えてもよい。
【００３２】
本発明の別の態様は、オーディオコンポーネント装置に関する。オーディオコンポーネント装置は、上述のオーディオ信号処理回路と、オーディオ信号処理回路の第２アンプから出力される第３信号を増幅するパワーアンプと、パワーアンプにより駆動される電気音響変換素子と、を備えてもよい。
【００３３】
本発明の別の態様は、電子機器に関する。電子機器は、上述のオーディオ信号処理回路と、オーディオ信号処理回路の第２アンプから出力される第３信号を増幅するパワーアンプと、パワーアンプにより駆動される電気音響変換素子と、を備えてもよい。
【００３４】
なお、以上の構成要素の任意の組み合わせや本発明の構成要素や表現を、方法、装置、システムなどの間で相互に置換したものもまた、本発明の態様として有効である。
【発明の効果】
【００３５】
本発明に係るオーディオ信号処理回路によれば、ノイズを抑制できる。
【図面の簡単な説明】
【００３６】
【図１】図１（ａ）、（ｂ）は、本発明者が検討した２段のアンプを含むオーディオ信号処理回路の構成を示すブロック図である。
【図２】図２（ａ）、（ｂ）は、図１（ａ）、（ｂ）のオーディオ信号処理回路のレベルダイアグラムである。
【図３】実施の形態に係るオーディオ信号処理回路を備えるオーディオシステムの構成を示す回路図である。
【図４】図３のオーディオ信号処理回路の起動時の動作波形図である。
【図５】図５（ａ）は、図３のオーディオ信号処理回路の出力信号を、図５（ｂ）は、図１（ｂ）のオーディオ信号処理回路の出力信号を示す図である。
【図６】第２基準電圧の立ち上がりが遅れたときの、図３のオーディオ信号処理回路の起動時の動作波形図である。
【図７】変形例１に係るオーディオ信号処理回路の構成を示す回路図である。
【図８】オーディオ信号処理回路を用いた車載用オーディオ装置の構成を示すブロック図である。
【図９】図９（ａ）〜（ｃ）は、電子機器あるいはオーディオコンポーネント装置の外観図である。
【発明を実施するための形態】
【００３７】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００３８】
本明細書において、「部材Ａと部材Ｂが接続」された状態とは、部材Ａと部材Ｂが物理的に直接的に接続される場合や、部材Ａと部材Ｂが、それらの電気的な接続状態に実質的な影響を及ぼさない、あるいはそれらの結合により奏される機能や効果を損なわせない、その他の部材を介して間接的に接続される場合も含む。同様に、「部材Ｃが、部材Ａと部材Ｂの間に設けられた状態」とは、部材Ａと部材Ｃ、あるいは部材Ｂと部材Ｃが直接的に接続される場合のほか、それらの電気的な接続状態に実質的な影響を及ぼさない、あるいはそれらの結合により奏される機能や効果を損なわせない、その他の部材を介して間接的に接続される場合も含む。
【００３９】
図３は、実施の形態に係るオーディオ信号処理回路２を備えるオーディオシステム１００の構成を示す回路図である。オーディオシステム１００は、主としてオーディオ信号処理回路２、パワーアンプ１０６、電気音響変換素子１０８、を備える。
【００４０】
オーディオ信号処理回路２は、入力オーディオ信号ＶＩＮを増幅して第３信号ＶＳ３を生成する。直流防止キャパシタＣ２は、オーディオ信号処理回路２から出力される第３信号ＶＳ３の直流成分を除去する。パワーアンプ１０６は、直流防止キャパシタＣ２を通過したオーディオ信号を受け、スピーカやヘッドホンなどの電気音響変換素子１０８を駆動する。
【００４１】
オーディオ信号処理回路２は、ひとつの半導体基板上に一体集積化されており、入力端子ＰＩＮ、出力端子ＰＯＵＴ、第１電源端子ＰＶＣＣ１、第２電源端子ＰＶＣＣ２、接地端子ＰＶｅｅを備える。入力端子ＰＩＮには、入力オーディオ信号ＶＩＮが入力される。出力端子ＰＯＵＴには、後段のパワー増幅段の一部である直流防止キャパシタＣ２が接続される。
【００４２】
接地端子ＰＶｅｅには、固定電位である接地電位Ｖｅｅが供給される。接地電位Ｖｅｅは、０Ｖであってもよいし、負電源を利用する場合、負の電源電圧であってもよい。本実施の形態では説明の簡潔化、理解の容易化のためにＶｅｅ＝０Ｖであるとする。第１電源端子ＰＶＣＣ１、第２電源端子ＰＶＣＣ２には、それぞれ独立した電源電圧Ｖｃｃ１、Ｖｃｃ２が供給可能となっている。本実施の形態では、Ｖｃｃ１＝８．５Ｖ、Ｖｃｃ２＝１２Ｖであるとする。
【００４３】
オーディオ信号処理回路２は、第１アンプ１０、第２アンプ２０、基準バイアス回路３０、起動バイアス回路４０を備える。
【００４４】
基準バイアス回路３０は、所定の第１基準電圧ＶＲＥＦ１および所定の第２基準電圧ＶＲＥＦ２を生成する。たとえば基準バイアス回路３０は、第１ボルテージフォロア３２、分圧回路３４、第２ボルテージフォロア３６を含む。
【００４５】
第１ボルテージフォロア３２は、所定の基準電圧ＶＲＥＧを受け、第１基準電圧ＶＲＥＦ１を生成する。後述のように第１基準電圧ＶＲＥＦ１は、第１アンプ１０が生成する第１信号ＶＳ１の中心レベルである第１バイアス電圧ＶＢＩＡＳ１に対応する。そこで基準電圧ＶＲＥＧおよび第１基準電圧ＶＲＥＦ１は、第１電源電圧Ｖｃｃ１と接地電圧Ｖｅｅの中点電圧、すなわちＶｃｃ１／２程度に設定することが好ましく、一例として、ＶＲＥＧ＝ＶＲＥＦ１＝４．２Ｖである。第１基準電圧ＶＲＥＦ１は、第１アンプ１０に供給される。
【００４６】
分圧回路３４は、抵抗Ｒ３１、Ｒ３２を含み、第１基準電圧ＶＲＥＦ１を分圧する。第２ボルテージフォロア３６は、分圧回路３４の出力を受け、第２基準電圧ＶＲＥＦ２を生成する。第２ボルテージフォロア３６の上側電源端子３７には、第２電源電圧Ｖｃｃ２が供給され、その下側電源端子３８には、接地電圧Ｖｅｅが供給される。第２基準電圧ＶＲＥＦ２は、分圧回路３４の分圧比を用いて、ＶＲＥＦ２＝ＶＲＥＦ１×Ｒ３２／（Ｒ３１＋Ｒ３２）で与えられる。第２基準電圧ＶＲＥＦ２は、第２アンプ２０に供給され、第２アンプ２０が生成する第３信号ＶＳ３の中心レベル（直流レベル）である第２バイアス電圧ＶＢＩＡＳ２を規定する。第２基準電圧ＶＲＥＦ２のレベルの具体的な決め方については後述する。
【００４７】
第１アンプ１０の上側電源端子１１には第１電源電圧Ｖｃｃ１が供給され、その下側電源端子１２には接地電圧Ｖｅｅが供給される。第１アンプ１０は、入力オーディオ信号ＶＩＮに応じて、第１バイアス電圧ＶＢＩＡＳ１を中心としてスイングする第１信号ＶＳ１を生成する。第１バイアス電圧ＶＢＩＡＳ１は、所定の第１基準電圧ＶＲＥＦ１に応じている。
【００４８】
具体的には、第１アンプ１０の入力端子１３には、直流防止キャパシタＣ１を介してオーディオ信号ＶＳ１が入力され、入力抵抗ＲＩＮを介して第１基準電圧ＶＲＥＦ１が入力される。第１アンプ１０が利得１のボルテージフォロアであるとき、第１信号ＶＳ１は、
ＶＳ１＝ＶＢＩＡＳ１＋ＶＡＵＤ１（ｔ）
で与えられ、第１バイアス電圧ＶＢＩＡＳ１を中心としてスイングする。ＶＡＵＤ１（ｔ）は入力オーディオ信号ＶＩＮの交流成分であり、ＶＢＩＡＳ１＝ＶＲＥＦ１である。
【００４９】
なお、第１信号ＶＳ１を生成する第１アンプ１０の構成は、図３のそれには限定されず、その他の公知の回路を用いてもよい。
【００５０】
第２アンプ２０の上側電源端子２１には第２電源電圧Ｖｃｃ２が供給される。第２アンプ２０は、その入力である第２信号ＶＳ２を第２基準電圧ＶＲＥＦ２を基準として非反転増幅し、第３信号ＶＳ３を生成する。
【００５１】
第２アンプ２０は、演算増幅器２２、第１抵抗Ｒ１１、第２抵抗Ｒ１２を含む。演算増幅器２２の上側電源端子２３には第２電源電圧Ｖｃｃ２が供給され、その下側電源端子２４には接地電圧Ｖｅｅが供給される。演算増幅器２２の非反転入力端子（＋）には、セレクタ回路５０からの第２信号ＶＳ２が入力される。第１抵抗Ｒ１１は、演算増幅器２２の出力端子と反転入力端子（−）の間に設けられる。第２抵抗Ｒ１２の一端には第２基準電圧ＶＲＥＦ２が印加され、その他端が演算増幅器２２の反転入力端子と接続される。
【００５２】
第２アンプ２０の利得ｇ２は、ｇ２＝（Ｒ１１＋Ｒ１２）／Ｒ１２で与えられる。第３信号ＶＳ３は、式（６）で与えられる。
ＶＳ３＝ｇ２×ＶＡＵＤ１（ｔ）＋（ｇ２×ＶＲＥＦ１−Ｒ１１／Ｒ１２×ＶＲＥＦ２）  …（６）
【００５３】
ここで、
ＶＡＵＤ２（ｔ）＝ｇ２×ＶＡＵＤ１（ｔ）    …（６ａ）
ＶＢＩＡＳ２＝ｇ２×ＶＢＩＡＳ１−Ｒ１１／Ｒ１２×ＶＲＥＦ２
＝ｇ２×ＶＲＥＦ１−Ｒ１１／Ｒ１２×ＶＲＥＦ２      …（６ｂ）
とすれば、式（６）は、式（６ｃ）で表される。
ＶＳ３＝ＶＡＵＤ２（ｔ）＋ＶＢＩＡＳ２    …（６ｃ）
つまり第３信号ＶＳ３は、第２バイアス電圧ＶＢＩＡＳ２を中心としてスイングする。
【００５４】
第２バイアス電圧ＶＢＩＡＳ２は、第２電源電圧Ｖｃｃ２の定格値と接地電圧Ｖｅｅの中点電圧、すなわちＶｃｃ２／２程度に設定することが好ましい。本実施の形態では、ＶＢＩＡＳ２＝１２／２＝６Ｖに設定される。
【００５５】
第２アンプ２０の利得ｇ２は、第２電源電圧Ｖｃｃ２と第３信号ＶＳ３のピーク値の差、つまりヘッドルームを考慮して、第３信号ＶＳ３が歪まないように定められる。利得ｇ２が定まると、抵抗Ｒ１１、Ｒ１２の抵抗値を定めることができる。第２バイアス電圧ＶＢＩＡＳ２、抵抗Ｒ１１、Ｒ１２、第１基準電圧ＶＲＥＦ１が定まると、式（６ｃ）から第２基準電圧ＶＲＥＦ２の適切なレベルを定めることができる。
【００５６】
第２アンプ２０の前段には、起動バイアス回路４０およびセレクタ回路５０が設けられる。
【００５７】
起動バイアス回路４０は、第１電源電圧Ｖｃｃ１とは独立した第２電源電圧Ｖｃｃ２にもとづいて、第２電源電圧Ｖｃｃ２に追従して遷移する起動バイアス電圧ＶＳＴＡＲＴを生成する。起動バイアス回路４０は、第１電源電圧Ｖｃｃ１および第２電源電圧Ｖｃｃ２がそれぞれの定格値（８．５Ｖ、１２Ｖ）に安定した後に、起動バイアス電圧ＶＳＴＡＲＴが第１信号ＶＳ１の直流レベルである第１バイアス電圧ＶＢＩＡＳ１と実質的に等しくなるように構成される。すなわち、起動バイアス電圧ＶＳＴＡＲＴの目標値ＶＳＴＡＲＴ’は、ＶＢＩＡＳ１＝４．２Ｖと等しく設定される。
【００５８】
たとえば、起動バイアス回路４０は、第２電源電圧Ｖｃｃ２を受け、それに所定の係数を乗ずることにより起動バイアス電圧ＶＳＴＡＲＴを生成してもよい。より具体的には、起動バイアス回路４０は、抵抗Ｒ２１、Ｒ２２を含み、第２電源電圧Ｖｃｃ２を分圧することにより起動バイアス電圧ＶＳＴＡＲＴを生成してもよい。この場合、起動バイアス電圧ＶＳＴＡＲＴは、第２電源電圧Ｖｃｃ２に比例し、以下の式で与えられる。
ＶＳＴＡＲＴ＝Ｖｃｃ２×Ｒ２２／（Ｒ２１＋Ｒ２２）
【００５９】
ここで、起動バイアス電圧ＶＳＴＡＲＴの目標値ＶＳＴＡＲＴ’と、Ｖｃｃ２／２の間には、以下の関係式が成り立つことが望ましい。
ＶＳＴＡＲＴ’＜Ｖｃｃ２／２    …（７）
理由は後述する。本実施の形態では、ＶＳＴＡＲＴ＝４．２Ｖ、Ｖｃｃ２／２＝６Ｖであるため、この関係式を満たす。
【００６０】
上述のように、起動バイアス電圧ＶＳＴＡＲＴは、第１電源電圧Ｖｃｃ１、第２電源電圧Ｖｃｃ２がそれぞれの定格値（８．５Ｖ、１２Ｖ）であるときに、起動バイアス電圧ＶＳＴＡＲＴと第１バイアス電圧ＶＢＩＡＳ１が等しくなるように生成される。したがって、以下の関係式が成り立つように、抵抗Ｒ２１、Ｒ２２の抵抗値を定めればよい。
ＶＢＩＡＳ１＝Ｖｃｃ２×Ｒ２２／（Ｒ２１＋Ｒ２２）
ＶＢＩＡＳ１＝４．２Ｖ、Ｖｃｃ２＝１２Ｖのとき、Ｒ２２／（Ｒ２１＋Ｒ２２）＝４．２／１２となるように抵抗値が定められる。
【００６１】
セレクタ回路５０は、第１アンプ１０からの第１信号ＶＳ１と、起動バイアス回路４０からの起動バイアス電圧ＶＳＴＡＲＴを受け、それらの一方を選択し、選択した一方を第２信号ＶＳ２として出力する。セレクタ回路５０は、起動バイアス電圧ＶＳＴＡＲＴを選択した第１状態φ１と第１信号ＶＳ１を選択した第２状態φ２とがシームレスに切りかえ可能なソフトスイッチ回路であってもよい。
【００６２】
以上がオーディオ信号処理回路２の構成である。続いてその動作を説明する。
図４は、図３のオーディオ信号処理回路２の起動時の動作波形図である。時刻ｔ０に起動スタートする。起動開始後の起動期間Ｔｓの間、セレクタ回路５０は第１状態φ１に設定され、ＶＳ２＝ＶＳＴＡＲＴとなる。時刻ｔ１に、第２電源電圧Ｖｃｃ２が起動し始める。第１電源電圧Ｖｃｃ１と第２電源電圧Ｖｃｃ２の起動シーケンスの関係は特に限定されず、Ｖｃｃ１がＶｃｃ２よりも早く立ち上がってもよいし、Ｖｃｃ１がＶｃｃ２よりも遅く立ち上がってもよい。
【００６３】
第２電源電圧Ｖｃｃ２の立ち上がりに追従して、起動バイアス電圧ＶＳＴＡＲＴが立ち上がりはじめる。そして、時刻ｔ２に第２電源電圧Ｖｃｃ２が定格値（１２Ｖ）に到達すると、起動バイアス電圧ＶＳＴＡＲＴも、その目標値ＶＳＴＡＲＴ’（４．２Ｖ）に到達する。
【００６４】
また、第１電源電圧Ｖｃｃ１および第２電源電圧Ｖｃｃ２がある程度大きくなり、基準バイアス回路３０が動作可能となると、その目標値に向かって増大し始める。第３信号ＶＳ３は、式（６）にしたがって増大する。そして起動期間Ｔｓの終了後の時刻ｔ３に、起動バイアス回路４０が第２状態φ２に切りかえられ、それ以降、第２アンプ２０には、入力オーディオ信号ＶＩＮに応じた第１信号ＶＳ１が入力される。
【００６５】
図５（ａ）は、図３のオーディオ信号処理回路２の出力信号ＶＳ３を、図５（ｂ）は、図１（ｂ）のオーディオ信号処理回路２ｓの出力信号ＶＳ２を示す図である。なお、図１（ｂ）のオーディオ信号処理回路２ｓの動作は、図３のオーディオ信号処理回路２において、セレクタ回路５０を第２状態φ２に固定した動作と等価である。
【００６６】
図５（ｂ）に示すように、図１（ｂ）のオーディオ信号処理回路２ｓでは、その出力である第２信号ＶＳ２が（i）、(ii)に示すように、不連続に、あるいは急峻に変動し、電気音響変換素子１０８からノイズが発生する。第１電源電圧Ｖｃｃ１と第２電源電圧Ｖｃｃ２は独立に立ち上がるため、それらの起動シーケンスによって、出力電圧ＶＳ２が、（i）、（ii）のいずれに沿って遷移するかは不定であるという問題もある。
【００６７】
これに対して図３のオーディオ信号処理回路２では、図４にも示したように、オーディオ信号処理回路２の出力である第３信号ＶＳ３は、第２電源電圧Ｖｃｃ２にもとづいて連続的に、その目標値である第２バイアス電圧ＶＢＩＡＳ２に向かって増大していく。したがって、起動時に電気音響変換素子１０８からノイズが発生するのを防止できる。
【００６８】
なお、起動バイアス電圧ＶＳＴＡＲＴが急峻に変動したとしても、その電圧レベルが適切に設定されていれば、図式（５）（ａ）に示すように第３信号ＶＳ３を安定的に遷移させることができる。
【００６９】
また、図３のオーディオ信号処理回路２は以下の利点も有する。上述のように、オーディオ信号処理回路２においては、第１アンプ１０の出力信号ＶＳ１の変動の影響を第３信号ＶＳ３から排除することができるが、第３信号ＶＳ３は、基準バイアス回路３０の状態、より具体的には第２ボルテージフォロア３６が生成する第２基準電圧ＶＲＥＦ２の影響を受ける可能性がある。第２基準電圧ＶＲＥＦ２の波形は、第２ボルテージフォロア３６の影響を受け、たとえば第２ボルテージフォロア３６の起動が遅れると、第２基準電圧ＶＲＥＦ２の立ち上がりが遅くなったり、その波形が乱れる場合が想定される。図６は、第２基準電圧ＶＲＥＦ２の立ち上がりが遅れたときの、図３のオーディオ信号処理回路２の起動時の動作波形図である。
【００７０】
第２基準電圧ＶＲＥＦ２は、時刻ｔ４に立ち上がり始める。もしＶＳＴＡＲＴ’＜Ｖｃｃ２／２が成り立たない場合、一点鎖線で示すように、第３信号ＶＳ３は、第２電源電圧Ｖｃｃ２に張り付いて（クリップ）上昇し、つまりは第３信号ＶＳ３が不連続となり、ノイズが生ずる恐れがある。
これに対して関係式（７）が成り立つように電圧ＶＳＴＡＲＴの目標値を定めることにより、第２基準電圧ＶＲＥＦ２の立ち上がりが遅れた場合であっても、第３信号ＶＳ３は、第２電源電圧Ｖｃｃ２に張り付くことなく増大していくため、ノイズを抑制できる。
なお、第２基準電圧ＶＲＥＦ２を安定かつ制御可能に生成されることが保証される場合、必ずしも関係式（７）を満たす必要はなく、したがってこの場合にはより回路設計の自由度が高まる。
【００７１】
以上、本発明について、実施の形態をもとに説明した。この実施の形態は例示であり、それらの各構成要素や各処理プロセスの組み合わせにいろいろな変形例が可能なこと、またそうした変形例も本発明の範囲にあることは当業者に理解されるところである。以下、こうした変形例について説明する。
【００７２】
（変形例１）
実施の形態では、Ｖｃｃ１＜Ｖｃｃ２にて使用されることを前提としたオーディオ信号処理回路２について説明したが、本発明はそれには限定されない。以下では、Ｖｃｃ１＜Ｖｃｃ２のプラットフォームと、Ｖｃｃ１＝Ｖｃｃ２のプラットフォームで共有可能な変形例１に係るオーディオ信号処理回路２ａについて説明する。
【００７３】
図７は、変形例１に係るオーディオ信号処理回路２ａの構成を示す回路図である。第２アンプ２０ａは、第１モードと第２モードが切りかえ可能に構成される。第２アンプ２０ａは、第１モードでは、第２信号ＶＳ２をそのまま出力するボルテージフォロアとして動作し、第２モードでは第２信号ＶＳ２を第２基準電圧ＶＲＥＦ２を基準として非反転増幅し、第３信号ＶＳ３を生成する非反転アンプとして動作する。
【００７４】
第２アンプ２０ａは、図３の第２アンプ２０に加えて、第１スイッチ回路２６を備える。第１スイッチ回路２６の第１端子Ｐ１は、演算増幅器２２の反転入力端子と接続され、その第２端子Ｐ２は、演算増幅器２２の出力端子と接続され、第３端子Ｐ３は、第１抵抗Ｒ１１と第２抵抗Ｒ１２の接続点Ｎ１と接続される。第１スイッチ回路２６は、第１モードにおいて第１端子Ｐ１と第２端子Ｐ２の間が導通し、第２モードにおいて第１端子Ｐ１と第３端子Ｐ３の間が導通するように構成される。第１スイッチ回路２６は、２つのスイッチＳＷ１１、ＳＷ１２を有してもよい。また第１スイッチ回路２６は、セレクタ回路５０と同様にソフトスイッチ回路であってもよい。この構成によれば、非反転増幅器とボルテージフォロアを切りかえることができる。なお第２アンプ２０ａの構成は図７のそれには限定されない。
【００７５】
基準バイアス回路３０ａは、第２基準電圧ＶＲＥＦ２が２値で切りかえ可能に構成される。基準バイアス回路３０ａは、図３の基準バイアス回路３０に加えて、第２スイッチ回路３９を備える。第２スイッチ回路３９の第１端子Ｐ１は第２ボルテージフォロア３６の入力と接続され、その第２端子Ｐ２は、第１ボルテージフォロア３２の出力端子と接続され、その第３端子Ｐ３は、分圧回路３４の出力端子と接続される。第２スイッチ回路３９は、第１モードにおいて第１端子Ｐ１と第２端子Ｐ２の間が導通し、第２モードにおいて第１端子Ｐ１と第３端子Ｐ３の間が導通するように構成される。第２スイッチ回路３９は、２つのスイッチＳＷ２１、ＳＷ２２を有してもよい。また第２スイッチ回路３９は、セレクタ回路５０と同様にソフトスイッチ回路であってもよい。この構成によれば、第２基準電圧ＶＲＥＦ２を、第１モードにおける第１の値ＶＲＥＦ１と、第２モードにおける第２の値ＶＲＥＦ１×Ｒ３２／（Ｒ３１＋Ｒ３２）の２値で切りかえることができる。
【００７６】
起動バイアス回路４０ａは、図３のオーディオ信号処理回路２と同様に、第１モード、第２モードそれぞれにおいて、起動バイアス電圧ＶＳＴＡＲＴの目標値が、第１バイアス電圧ＶＢＩＡＳと実質的に等しくなるよう構成される。たとえば起動バイアス回路４０ａは、図３の起動バイアス回路４０に加えて抵抗Ｒ２３と、抵抗２３と並列に設けられたバイパススイッチＳＷ２２を含む。バイパススイッチＳＷ２２は、第２モードにおいてオンする。
【００７７】
この構成によれば、起動バイアス電圧ＶＳＴＡＲＴの目標値ＶＳＴＡＲＴ’は、第１モードにおいて第１の値（Ｒ２２＋Ｒ２３）／（Ｒ２１＋Ｒ２２＋Ｒ２３）×Ｖｃｃ２、第２モードにおいて第２の値Ｒ２２／（Ｒ２１＋Ｒ２２）×Ｖｃｃ２となる。したがって、第１、第２の値それぞれが第１バイアス電圧ＶＢＩＡＳ１と等しくなるように、プラットフォームごとに、第２電源電圧Ｖｃｃ２の定格値に応じて抵抗Ｒ２１〜Ｒ２３の抵抗値を決定すればよい。
【００７８】
以上がオーディオ信号処理回路２ａの構成である。
オーディオ信号処理回路２ａは、２つの電源電圧Ｖｃｃ１、Ｖｃｃ２が異なる２つのプラットフォームで使用される。第１のプラットフォームでは、第２電源電圧Ｖｃｃ２が第１電源電圧Ｖｃｃ１と実質的に等しい。ここではＶｃｃ１＝Ｖｃｃ２＝８．５Ｖとする。第２のプラットフォームでは、第２電源電圧Ｖｃｃ２が第１電源電圧Ｖｃｃ１よりも高い。ここでは、Ｖｃｃ１＝８．５Ｖ、Ｖｃｃ２＝１２Ｖとする。第２プラットフォームは、実施の形態で説明したプラットフォームと同じである。
【００７９】
オーディオ信号処理回路２ａによれば、第１プラットフォームでは第１モードを、第２プラットフォームでは第２モードを選択し、モードごとに第２基準電圧ＶＲＥＦ２および起動バイアス電圧ＶＢＩＡＳ２を適切な値に設定する。具体的には、第１プラットフォームでは、第２アンプ２０ａはボルテージフォロアとなり、その等価回路図は、図１（ａ）のオーディオ信号処理回路２ｒと同じである。第２プラットフォームでは、第２アンプ２０ａは非反転アンプとなり、その等価回路図は図１（ｂ）あるいは図３のそれと同じである。
【００８０】
このように図７のオーディオ信号処理回路２ａは２つのプラットフォームで流用することができる。
【００８１】
（変形例２）
実施の形態では、セレクタ回路５０は、オーディオ信号処理回路２が搭載されるセットやシステムの起動から所定時間（起動時間Ｔｓ）の経過前に起動バイアス電圧ＶＳＴＡＲＴを選択し、経過後に第１信号ＶＳ１を選択する場合を説明したが、本発明はそれには限定されない。たとえば、電源電圧Ｖｃｃ１、Ｖｃｃ２を生成する電源回路や、それを制御するホストプロセッサから、起動完了を通知する信号を受け、その通知にもとづいて、セレクタ回路５０は、第１状態φ１から第２状態φ２に遷移してもよい。
【００８２】
（変形例３）
各アンプの下側電源端子には必ずしも接地電圧Ｖｅｅが供給される必要はなく、別の電位（負の電源電圧）が供給されてもよい。
【００８３】
（変形例４）
起動バイアス回路４０は、第１電源電圧Ｖｃｃ１および第２電源電圧Ｖｃｃ２の起動時において、起動バイアス電圧ＶＳＴＡＲＴが緩やかに増大するように構成されてもよい。たとえば抵抗Ｒ２２と並列に、キャパシタを設けてもよい。上述のように、起動バイアス電圧ＶＳＴＡＲＴがある程度急峻に上昇したとしても、その電圧レベルが適切に設定されていれば、第３信号ＶＳ３が安定的に上昇することが保証されるが、起動バイアス電圧ＶＳＴＡＲＴの立ち上がり波形を緩やかにすることで、第３信号ＶＳ３をより安定的に遷移させることができる。
【００８４】
最後に、実施の形態あるいはその変形例に係るオーディオ信号処理回路２の用途を説明する。
【００８５】
図８は、オーディオ信号処理回路２を用いた車載用オーディオ装置５００の構成を示すブロック図である。車載用オーディオ装置５００は、５．１チャンネル（フロント右ＦＲ、リア右ＲＲ、フロント左ＦＬ、リア左ＲＬ、センターＣ、サブウーファＳＷ）で構成される。
【００８６】
デジタル音源５０１は、ＣＤプレイヤやＤＶＤプレイヤなどであり、アナログ音源５０２は、チューナやモバイルオーディオプレイヤなどである。
【００８７】
デジタル音源５０１からのデジタルオーディオ信号は、ＤＳＰ（Digital Signal Processor）５１６のデジタル入力端子に入力される。またチューナからのステレオ（Ｌｃｈ、Ｒｃｈ）のアナログオーディオ信号は、ＴＵＮＥＲチャンネルに入力され、その他のモバイルオーディオプレイヤなどからのステレオアナログオーディオ信号はＡＵＸチャンネルに入力される。
【００８８】
入力セレクタ５１０およびアンプ５１２は、ＲチャンネルとＬチャンネルそれぞれに設けられる。入力セレクタ５１０は、入力チャンネル（Ｔｕｎｅｒ／ＡＵＸ）を選択し、選択されたチャンネルのシングルエンド形式のアナログオーディオ信号を差動信号に変換する。選択されたチャンネルに差動形式のオーディオ信号が入力される場合、差動変換処理はスキップされる。
【００８９】
アナログ／デジタル変換器５１４Ｒは、Ｒチャンネルの差動形式の入力オーディオ信号をデジタルオーディオ信号に変換し、アナログ／デジタル変換器５１４Ｌは、Ｌチャンネルの差動形式の入力オーディオ信号をデジタルオーディオ信号に変換する。
【００９０】
ＤＳＰ５１６は、デジタルボリウム回路、５バンドイコライザ、ラウドネス回路、クロスオーバフィルタ、バスブースト回路を備え、デジタル音源５０１の出力信号あるいはアナログ／デジタル変換器５１４Ｌ、５１４Ｒの出力信号のペアに対して、所定の信号処理を施す。ＤＳＰ５１６の出力は、Ｌチャンネル、ＲチャンネルおよびＭチャンネルの３チャンネルである。
【００９１】
Ｄ／Ａコンバータ５１８、アンプ５２０、ポストフィルタ５２２、フェーダボリウム５２４は、Ｌ／Ｒ／Ｍチャンネルごとに設けられる。アンプ５２０、ポストフィルタ５２２、フェーダボリウム５２４をアナログ出力段とも称する。このアナログ出力段の構成は特に限定されない。
【００９２】
フェーダボリウム５２４によって、Ｌチャンネルは、フロントＦＬとリアＲＬに分配され、ＲチャンネルはフロントＦＲとリアＲＲに分配される。またＭチャンネルは、センターＣとサブウーハーＷに分配される。
【００９３】
パワーアンプ５０６は、ＦＲ、ＲＲ、ＦＬ、ＲＬ、Ｃ、ＳＷごとに設けられ、対応するスピーカ５０８を駆動する。
【００９４】
実施の形態にオーディオシステム１００は、このような車載用オーディオ装置５００に好適に利用できる。より具体的には、図３のオーディオ信号処理回路２の構成を、フェーダボリウム５２４に適用してもよい。
【００９５】
なお、実施の形態に係るオーディオ信号処理回路２は車載用オーディオ装置のみでなく、家庭用のホームオーディオシステムのオーディオコンポーネント装置に利用することもできる。あるいは、オーディオ信号処理回路２は、テレビ、デスクトップＰＣ、ノートＰＣ、タブレットＰＣ、携帯電話端末、デジタルカメラ、ポータブルオーディオプレイヤなどの電子機器に搭載することもできる。
【００９６】
図９（ａ）〜（ｃ）は、電子機器あるいはオーディオコンポーネント装置の外観図である。図９（ａ）は電子機器の一例であるディスプレイ装置６００である。ディスプレイ装置６００は、筐体６０１、スピーカ６０８を備える。オーディオ信号処理回路２は、図示しないＤＳＰやパワーアンプとともに筐体６０１に内蔵される。
【００９７】
図６（ｂ）はオーディオコンポ７００である。オーディオコンポ７００は、筐体７０１、スピーカ７０８を備える。オーディオシステム１００は図示しないＤＳＰやパワーアンプとともに筐体７０１に内蔵される。
【００９８】
図６（ｃ）は電子機器の一例である小型情報端末８００である。小型情報端末８００は、携帯電話、ＰＨＳ（Personal Handy-phone System）、ＰＤＡ（Personal Digital Assistant）、タブレットＰＣ（Personal Computer）、オーディオプレイヤなどである。小型情報端末８００は、筐体８０１、スピーカ８０８、ディスプレイ８０４を備える。オーディオシステム１００は、図示しないＤＳＰ、パワーアンプとともに筐体８０１に内蔵される。
【００９９】
実施の形態にもとづき、具体的な用語を用いて本発明を説明したが、実施の形態は、本発明の原理、応用を示しているにすぎず、実施の形態には、請求の範囲に規定された本発明の思想を逸脱しない範囲において、多くの変形例や配置の変更が認められる。
【符号の説明】
【０１００】
１００…オーディオシステム、１０２…音源、１０６…パワーアンプ、１０８…電気音響変換素子、２…オーディオ信号処理回路、１０…第１アンプ、２０…第２アンプ、２２…演算増幅器、２６…第１スイッチ回路、Ｒ１…第１抵抗、Ｒ２…第２抵抗、３０…基準バイアス回路、３２…第１ボルテージフォロア、３４…分圧回路、３６…第２ボルテージフォロア、３９…第２スイッチ回路、４０…起動バイアス回路、５０…セレクタ回路、Ｃ１，Ｃ２…直流防止キャパシタ、Ｖｃｃ１…第１電源電圧、Ｖｃｃ２…第２電源電圧、Ｖｅｅ…接地電圧。
【図１】
2014132735.tif 000003
【図２】
2014132735.tif 000004
【図３】
2014132735.tif 000005
【図４】
2014132735.tif 000006
【図５】
2014132735.tif 000007
【図６】
2014132735.tif 000008
【図７】
2014132735.tif 000009
【図８】
2014132735.tif 000010
【図９】
2014132735.tif 000011